(57)【特許請求の範囲】
【請求項１】
所定の基準寸法の方眼を形成する縦横の仮想線に沿って外壁が配置されるように設計された建物において、該建物の外周を構成する上記外壁の外面に設けられる外装仕上げ材であって、
外面に同じ形状の模様が左右方向に沿って繰り返し形成されるとともに、
一つの模様から該模様と同じ形状の次ぎの模様までの左右方向の距離が上記基準寸法を整数で割った長さもしくは上記基準寸法の整数倍の長さとされていることを特徴とする外装仕上げ材。
【請求項２】
請求項１記載の外装仕上げ材において、
外面に同じ形状の模様が上下方向に沿って繰り返し形成されるとともに、
一つの模様から該模様と同じ形状の次ぎの模様までの上下方向の距離が、上記建物を構成する部材の上下長さの基準となる所定の上下基準寸法を整数で割った長さもしくは上下基準寸法の整数倍の長さとされていることを特徴とする外装仕上げ材。
【請求項３】
請求項１また２記載の外装仕上げ材を用いた住宅であって、
所定の基準寸法の方眼を形成する縦横の仮想線に沿うように建物の外周を構成する外壁が配置され、上記方眼に上記模様の左右方向の繰り返しの周期を対応させて上記外壁に上記外装仕上げ材が取り付けられていることを特徴とする住宅。
【請求項４】
請求項３記載の住宅において、
上記外壁の出隅の角部に、二つの外装仕上げ材となる板体を直角に一体に接合した状態の角部外装仕上げ材が配置されるとともに、上記角部外装仕上げ材を形成する二つの板体の左右幅が、それぞれ上記外壁が沿って配置された上記仮想線と、上記外壁外面に取り付けられた外装仕上げ材との間の距離にほぼ等しくされていることを特徴とする住宅。
【請求項５】
請求項請求項３または４記載の住宅において、
建物の外壁の外面における上下階のほぼ境界部分に帯状をなす調整幕板が水平に設けられ、該調整幕板の上側縁部から上の外壁外面に上階用の外装仕上げ材が取り付けられ、該調整幕板の下側縁部から下の外壁外面に下階用の外装仕上げ材が取り付けられ、
上記調整幕板の下側縁部から下階の外壁外面に取り付けられた下階用の外装仕上げ材の下側縁部までの上下距離が所定の上下基準寸法の整数倍の長さとされ、かつ、上記調整幕板の上側縁部から上階の外壁外面に取り付けられた上階用の外装仕上げ材の上側縁部までの上下距離が上記上下基準寸法の整数倍の長さとされるように、上記調整幕板の上下幅が設定されていることを特徴とする住宅。
【発明の詳細な説明】
【０００１】
【発明の属する技術分野】
本発明は、建物の外壁の外面に取り付けられる外装仕上げ材と、該外装仕上げ材が取り付けられる建物としての住宅に関する。
【０００２】
【背景の技術】
一般に、住宅の外壁面には、防火性等を有する板状の外装仕上げ材（サイディング）が取り付けられる場合が多い。
該外装仕上げ材は、住宅の外壁面に取り付けられ、住宅の外観を決める重要な要素の一つとなり、その表面には、例えば、タイル貼り状やレンガ積み状の模様など、意匠性を高める模様が形成されている。
【０００３】
一方、住宅の構築においては、その工業化が進み、例えば、壁や床、屋根といった構成要素を予め工場にてパネル化しておき、施工現場でこれらのパネルを組み立てることにより、住宅を構築するといったパネル工法が一部に採用されている。
【０００４】
また、住宅の設計においては、例えば、間取り等の平面設計を決める際に、予め、決められた所定の基準寸法を一つの単位（モジュール）とし、基準寸法毎に互いに直角な縦横の線が交差するようにした方眼上において、各壁を配置するとともに、壁に囲まれることになる居間、寝室、浴室、台所、トイレ等の部屋を配置するモジュール設計が行われている。
上記モジュール設計によれば、設計を容易なものとすることができるとともに、住宅の構築に使われる部材を容易に規格化することができる。
例えば、上記パネル工法を用いた住宅の構築においては、住宅をモジュール設計するとともに、パネルのサイズの規格を上記モジュールに対応したものとすることにより、規格外の部材をあまり必要とせず、現場作業の効率化を図ることができる。
【０００５】
そして、パネルのサイズの規格化においては、例えば、パネルの左右幅を上記基準寸法の整数倍とすることが行われている。
また、パネル等の建材のサイズの規格化においては、平面設計における水平方向（左右方向、前後方向）の基準寸法と、立面設計における垂直方向（上下方向）の基準寸法とが必要となり、パネルの上下高さを上下基準寸法の整数倍とすることが行われている。
【０００６】
また、住宅を構成する部材の一つである上述の外装仕上げ材の左右幅や上下幅等のサイズも上記基準寸法（上下基準寸法を含む）に基づいて規格化されることになる。
また、上記パネル工法では、パネルを製造する工場において、複数枚のパネルを互いに接合した大型連結パネルを製造し、現場でのパネル同士を接合する作業を減らしたり、上記工場で、外壁となるパネルや大型連結パネルに外装仕上げ材の少なくとも一部を先に取り付け、現場での外装仕上げ材の取付作業を減らしたりすることによる現場作業の省力化が図られている。
【０００７】
従って、工場では、規格化されたサイズのパネルや大型連結パネルに、規格化された外装仕上げ材を取り付ける作業が行われる場合があり、例えば、特開平１０−１５６６４４号公報には、モジュールで規格化されたサイズのパネル（大型連結パネル）に、モジュールで規格化されたサイズのサイディング（外装仕上げ材）を、モジュール単位で正確に貼り付けるための位置決め方法及びその装置が提案されている。
【０００８】
【発明が解決しようとする課題】
ところで、住宅の外壁面には、窓や入出口等の開口部が形成されたりするので、外装仕上げ材を予め全ての形状が決めら後加工が必要ない状態で購入されるものとすると、外装仕上げ材の形状のバリエーションが極めて多くなってしまい、製造効率やコストが悪化してしまうことになる。
そこで、外装仕上げ材のサイズの種類を限られたものとする場合には、外装仕上げ材のサイズ自体を例えば上述の基準寸法もしくは基準寸法を整数で割った長さ程度の小さなものとし、これを組み合わせて使う方法と、ある程度大きな外装仕上げ材を切断加工して用いることが考えられる。
【０００９】
しかし、外装仕上げ材のサイズを小さくしてこれを組み合わせて多数使用するものとした場合には、外装仕上げ材同士の接合部が増えてしまうとともに、外装仕上げ材の取り付けに手間がかかるという問題がある。すなわち、従来のタイル貼りの外壁に近い手間がかかることになる。
また、小さな外装仕上げ材を多数用いる場合には、上述の公報で示されるように、各外装仕上げ材の寸法誤差が積み重なり大きな誤差となる可能性があり、外装仕上げ材の取付に際して上述の公報に記載された位置決め装置等が必要となるが、壁面に多くの外装仕上げ材を貼るためにただでさえ手間がかかるのに、さらに手間がかかることになる。
【００１０】
一方、ある程度大きなサイズの外装仕上げ材を切断加工して用いる場合には、切断加工に多少手間がかかるものの、外装仕上げ材の取り付けが容易となるとともに、外装仕上げ材同士の接合部も少なくなる。また、外装仕上げ材を切断加工することにより、確実に必要な形状の外装仕上げ材を得ることができる。すなわち、外装仕上げ材のサイズを小さなものとした場合には、小さな外装仕上げ材の組み合わせにより、必要な形状が得られるとは限らず、切断加工が必要となったり、異なる形状の外装仕上げ材が必要となったりする可能性がある。
【００１１】
しかし、外装仕上げ材を切断加工した場合には、上述のように外装仕上げ材の表面に形成された模様も切断されてしまうことになり、切断加工された外装仕上げ材を他の外装仕上げ材と隣接して接合した場合などに、模様の整合性が取れなくなる可能性がある。また、外装仕上げ材を切断加工することにより、外壁に設けられる開口部と外装仕上げ材の模様との対応が取れなかったり、切断加工の有無に関わらず、外壁に取り付ける部材と、外装仕上げ材の模様との対応が取れない可能性がある。これらのことから、外装仕上げ材の模様に統一性や連続性がなくなり、住宅の美観を損なう可能性がある。
【００１２】
本発明は上記事情に鑑みてなされたものであり、住宅の外壁面に取り付けられた外壁仕上げ材の模様の統一性及び連続性を確保した状態で、外装仕上げ材の取り付け作業を容易にすることができる外装仕上げ材及び住宅を提供することを目的とする。
【００１３】
【課題を解決するための手段】
本発明の請求項１記載の外装仕上げ材は、例えば、図１、２、３等に示されるように、所定の基準寸法の方眼（グリッド６）を形成する縦横の仮想線４、５に沿って外壁２が配置されるように設計された建物において、該建物の外周を構成する上記外壁２の外面に設けられる外装仕上げ材８、１７であって、外面に同じ形状の模様（矩形模様１３、縦目地模様１４）が左右方向に沿って繰り返し形成されるとともに、一つの模様１３、１４から該模様１３、１４と同じ形状の次ぎの模様１３、１４までの左右方向の距離が上記基準寸法を整数で割った長さもしくは上記基準寸法の整数倍の長さとされていることを特徴とする。
【００１４】
上記構成によれば、所定の基準寸法の方眼６を形成する水平方向に沿った縦横の仮想線４、５に沿うように外壁２を配置しており、外壁２が上述のモジュール設計により配置されていることになる。
そして、このような外壁２に取り付けられる外装仕上げ材８、１７の模様は、同じ形状の模様１３，１４が左右方向に沿って繰り返し出現する模様となっているとともに、同じ形状の模様が繰り返し出現する周期（長さ）が、上記基準寸法を整数で割った長さもしくは上記基準寸法の整数倍となっているので、モジュール設計された外壁のモジュールと外壁仕上げ材の模様とを対応させることが可能となる。
【００１５】
そして、予め決められたサイズで入荷された外装仕上げ材８、１７を左右に分けるように垂直に切断して使用する場合に、上記基準寸法に基づいて、外装仕上げ材８、１７の各位置における左右幅が基準寸法の整数倍の長さとなるように切断するものとした際に、切断位置と、一つの模様１３、１４と次ぎの模様１３、１４との境目や一つの模様１３、１４の左端部もしくは右端部とを対応させることが可能となる。
なお、一つの模様１３、１４から次ぎの模様１３、１４までの距離が、基準寸法の整数（Ｎ）倍の場合に、例えば、外装仕上げ材８、１７の左右幅が基準寸法の上記整数（Ｎ）より小さい整数（＜Ｎ）により整数（＜Ｎ）倍となっていると、必ずしも、切断位置と、一つの模様１３、１４と次ぎの模様１３、１４との境目等とを対応させることができないので、この場合には、外装仕上げ材８、１７の各位置の左右幅が基準寸法の上記整数（Ｎ）と同じ整数（Ｎ）もしくは上記整数（Ｎ）の倍数（ｎ＊Ｎ）により整数（ｎ＊Ｎ）倍となっている必要がある。
【００１６】
そこで、上述の作用を言い換えれば、外装仕上げ材８、１７の左右幅が一つの模様１３、１４から次ぎの模様１３、１４までの距離の整数倍となるように切断するものとすれば、切断位置と、一つの模様１３、１４と次ぎの模様１３、１４との境目等とを対応させることが可能となり、かつ、切断された外装仕上げ材８、１７の左右幅を、基準寸法の整数倍の幅とすることができる。
なお、このように基準寸法と模様１３、１４の周期とを対応させるためには、外装仕上げ材８、１７を模様１３、１４の周期に対応する左右二箇所で切断するか、元の外装仕上げ材８、１７の左右の側縁部の少なくとも一方が模様の周期の始まりもしくは終わりの部分に対応した状態で、他方の側縁部側を一方の側縁部から基準寸法（模様の周期）の整数倍の位置で切断する必要がある。
【００１７】
一方、一つの模様１３、１４から次ぎの模様１３、１４までの距離が、基準寸法を整数（Ｎ）で割った長さの場合には、外装仕上げ材８、１７の各位置の左右幅を基準寸法の整数倍とすることにより、切断位置と、一つの模様１３、１４と次ぎの模様１３、１４との境目等とを対応させることができるが、外装仕上げ材８、１７の左右幅を基準寸法から、該基準寸法を上記整数（Ｎ）で割った長さもしくは該長さの整数倍の長さだけずれたものとしても、切断位置と一つの模様１３、１４と次ぎの模様１３、１４との境目等とを対応させることが可能となる。
【００１８】
そして、外装仕上げ材８、１７の左右の少なくとも一方の切断位置と一つの模様１３、１４と次ぎの模様１３、１４との境目等とを対応させることができれば、切断された外装仕上げ材と他の外装仕上げ材とを隣接して配置するような場合に、切断された外装仕上げ材８、１７と他の外装仕上げ材８、１７との接合部分で、左右方向に繰り返される模様１３、１４の一部が無くなったり、同じ模様１３、１４同士の繰り返しの間隔が他の部分と異なったりすることがなく、左右方向に繰り返される模様１３、１４の統一性や連続性を保持することが可能となる。
【００１９】
なお、左右方向に繰り返される各模様同士の間隔は、基本的に、同じ形状の模様について全て一定とする必要がある。
また、上記基準寸法とは、例えば、平面のモジュール設計における１Ｍの整数分の１（例えば、１／１、１／２、１／４）である。また、基準寸法の方眼６とは、隣り合う縦の仮想線４、５同士の間隔、隣り合う横の仮想線４、５同士の間隔が、基準寸法とされたものである。また、仮想線４、５とは、設計時に用いられるものであり、実際の外壁２の設置に際して線が存在するわけではなく、あくまでも仮想の線である。
また、一つの模様１３、１４から該模様１３、１４と同じ形状の次ぎの模様１３、１４までの左右方向の距離とは、例えば、一つの模様１３、１４の右端から次ぎの模様１３、１４の右端まで、もしくは、一つの模様１３、１４の左端から次ぎの模様１３、１４の左端までであり、一つの模様１３、１４と次ぎの模様１３、１４とが連続して配置されていても、一つの模様１３、１４と次ぎの模様１３、１４との間に間隔あっても良く、さらに、一つの模様１３、１４と次ぎの模様１３、１４との間に間隔がある場合に、この間隔に上記模様１３、１４とは、異なる模様が配置されていても良い。
【００２０】
本発明の請求項２記載の外装仕上げ材８、１７は、請求項１記載の外装仕上げ材８、１７において、外面に同じ形状の模様１３、１４、１５が上下方向に沿って繰り返し形成されるとともに、一つの模様１３、１４、１５から該模様１３、１４、１５と同じ形状の次ぎの模様１３、１４、１５までの上下方向の距離が、上記建物を構成する部材の上下長さの基準となる所定の上下基準寸法を整数で割った長さもしくは上下基準寸法の整数倍の長さとされていることを特徴とする。
【００２１】
上記構成によれば、所定の上下基準寸法を基準とてい上下長さが決められた部材（例えば、外壁の外面を構成する部材）と、上下方向に同じ模様１３、１４、１５が繰り返される外装仕上げ材８、１７の上下方向の模様１３、１４、１５の繰り返しの周期とを対応させることができる。
そして、予め、所定のサイズで入荷された外装仕上げ材８、１７を上下に分けるように水平に切断して使用する場合に、上記上下基準寸法に基づいて、外装仕上げ材８、１７の各位置における上下幅が上記上下方向基準寸法の整数倍の長さとなるように切断するものとした際に、切断位置と、一つの模様１３、１４、１５と次ぎの模様１３、１４、１５との境目や一つの模様１３、１４、１５の下端部もしくは上端部とを対応させることが可能となる。
【００２２】
なお、一つの模様１３、１４、１５から次ぎの模様１３、１４、１５までの距離が、上下基準寸法の整数（Ｎ）倍の場合に、例えば、外装仕上げ材８、１７の上下幅が上下基準寸法の上記整数（Ｎ）より小さい整数（＜Ｎ）の整数（＜Ｎ）倍となっていると、必ずしも、切断位置と、一つの模様１３、１４、１５と次ぎの模様１３、１４、１５との境目等とを対応させることができないので、この場合には、外装仕上げ材８、１７の上下幅が基準寸法の上記整数（Ｎ）と同じ整数（Ｎ）もしくは上記整数（Ｎ）の倍数（ｎ＊Ｎ）の整数（ｎ＊Ｎ）倍となっている必要がある。
【００２３】
そこで、上述の作用を言い換えれば、外装仕上げ材８、１７の上下幅が一つの模様１３、１４、１５から次ぎの模様１３、１４、１５までの距離の整数倍となるように切断するものとすれば、切断位置と、一つの模様１３、１４、１５と次ぎの模様１３、１４、１５との境目や一つの模様１３、１４、１５の下端部もしくは上端部とを対応させることが可能となり、かつ、切断された外装仕上げ材８、１７の上下幅を、基準寸法の整数倍の幅とすることができる。
なお、このように基準寸法と模様の周期とを対応させるためには、外装仕上げ材８、１７を模様の周期に対応する上下二箇所で切断するか、元の外装仕上げ材８、１７の上下の側縁部の少なくとも一方が模様１３、１４、１５の周期の始まりもしくは終わりの部分に対応した状態で、他方の側縁部側を一方の側縁部から上下基準寸法の整数倍の位置で切断することになる。
【００２４】
一方、一つの模様１３、１４、１５から次ぎの模様１３、１４、１５までの距離が、上下基準寸法を整数（Ｎ）で割った長さの場合には、外装仕上げ材８、１７の各位置の上下幅を単純に基準寸法の整数倍とすることにより、切断位置と、一つの模様１３、１４、１５と次ぎの模様１３、１４、１５との境目等とを対応させることができるが、外装仕上げ材８、１７の上下幅を上下基準寸法から、該上下基準寸法を上記整数（Ｎ）で割った長さもしくは該長さの整数倍の長さだけずれたものとしても、切断位置と一つの模様１３、１４、１５と次ぎの模様１３、１４、１５との境目等とを対応させることが可能となる。
【００２５】
そして、外装仕上げ材８、１７の上下の少なくとも一方の切断位置と一つの模様１３、１４、１５と次ぎの模様１３、１４、１５との境目等とを対応させることができれば、切断された外装仕上げ材８、１７と他の外装仕上げ材８、１７とを上下に隣接して配置するような場合に、切断された外装仕上げ材８、１７と他の外装仕上げ材８、１７との接合部分で、繰り返される模様１３、１４、１５の一部が無くなったり、繰り返される同じ模様１３、１４、１５同士の間隔が他の部分と異なったりすることなく、模様１３、１４、１５の統一性や連続性を保持することが可能となる。
また、外装仕上げ材８、１７の切断位置が、外装仕上げ材８、１７の上下いずれかの末端となるような場合に、外装仕上げ材８、１７の上下いずれかの末端と、外装仕上げ材８、１７の一つの模様１３、１４、１５と次ぎの模様１３、１４、１５との境目等とを合わせることができる。
【００２６】
なお、上記上下用基準寸法とは、例えば、立面のモジュール設計における１立面モジュールであるが、その整数分の１（例えば、１／１、１／２、１／４）であっても良い。
また、一つの模様１３、１４、１５から該模様１３、１４、１５と同じ形状の次ぎの模様１３、１４、１５までの上方向の距離とは、例えば、一つの模様１３、１４、１５の上端から次ぎの模様１３、１４、１５の上端まで、もしくは、一つの模様１３、１４、１５の下端から次ぎの模様１３、１４、１５の下端までであり、一つの模様１３、１４、１５と次ぎの模様１３、１４、１５とが連続して配置されていても、一つの模様１３、１４、１５と次ぎの模様１３、１４、１５との間に間隔あっても良く、さらに、一つの模様１３、１４、１５と次ぎの模様１３、１４、１５との間に間隔がある場合に、この間隔に上記模様１３、１４、１５とは、異なる模様が配置されていても良い。
【００２７】
本発明の請求項３記載の住宅１は、請求項１また２記載の外装仕上げ材８、１７を用いた住宅１であって、所定の基準寸法の方眼６を形成する縦横の仮想線４、５に沿うように建物の外周を構成する外壁２が配置され、上記方眼６に上記模様１３、１４の左右方向の繰り返しの周期を対応させて上記外壁２に上記外装仕上げ材８、１７が取り付けられていることを特徴とする。
【００２８】
上記構成によれば、外壁２を設計する際の基準寸法と、該外壁２外面に設けられる外装仕上げ材８、１７の模様１３、１４の左右方向の繰り返し周期とが対応させられることになり、住宅１の外観を統一性の取れたものとすることができる。
また、上記住宅１の構築時において、住宅１の外壁の外面に外装仕上げ材８、１７を取り付ける際に、予め決められたサイズの外装仕上げ材８、１７を切断して使用するものとしても、請求項１または２記載の構成と同様に、切断位置と外装仕上げ材８、１７の左右や上下に繰り返させる模様の境目とを容易に対応させることができるので、外壁２の外面の模様の連続性や統一性を容易に確保することができる。従って、住宅１の美観を向上することができる。
【００２９】
本発明の請求項４記載の住宅１は、請求項３記載の住宅１において、例えば、図４等に示すように、上記外壁２の出隅の角部に、二つの外装仕上げ材となる板体１８ａ、１８ａを直角に一体に接合した状態の角部外装仕上げ材１８が配置されるとともに、上記角部外装仕上げ材１８を形成する二つの板体１８ａ、１８ａの左右幅が、それぞれ上記外壁２が沿って配置された上記仮想線４、５と、上記外壁２外面に取り付けられた外装仕上げ材８、１７（１８ａ、１８ａ）との間の距離にほぼ等しくされていることを特徴とする。
【００３０】
上記構成によれば、所定の基準寸法の方眼６を形成する縦横の仮想線４、５に沿うように建物の外周を構成する外壁２が配置される場合に、仮想線４、５に外壁２の外面が沿うようにすれば、外壁２の外面の角部の頂点から次ぎの角部の頂点までの距離を基準寸法のほぼ整数倍とすることができるが、仮想線４、５に外壁２の外面より内側、例えば、外壁２の中心線を合わせた場合には、外壁２の外面の角部の頂点から次ぎの角部の頂点までの距離が基準寸法のほぼ整数倍の長さより、仮想線４、５から外壁２の外面までの距離のほぼ二倍だけ長くなってしまうことになる。
【００３１】
従って、この状態で外壁２の外面に基準寸法の整数倍の左右幅を有する外装仕上げ材８、１７を取り付けると、外壁２の外面の左右幅に対して、外壁２の外面に取り付けられた外装仕上げ材８、１７全体の左右幅が仮想線４、５から外壁２の外面までの距離の二倍分の長さだけ少なくなってしまう。
そこで、上述のように、角部に、上記外壁２が沿って配置された上記仮想線４、５と上記外壁２に取り付けられた外装仕上げ材８、１７との間の距離にほぼ等しい左右幅を有する二枚の板体１８ａ、１８ａを直角に一体に接合した状態の角部外装仕上げ材１８を配置するものとすれば、外装仕上げ材８、１７の幅を上記基準寸法の整数倍からずらすようなことをする必要がなく、外装仕上げ材８、１７の取り付けに係わる作業を容易なものとすることができる。
【００３２】
また、角部において、外壁２の角部から次ぎの角部までの外面一面分の左右幅と、上記基準寸法の整数倍とされた左右幅を有する各外装仕上げ材８、１７からなる外壁一面分の外装仕上げ材８、１７の左右幅とのずれを外壁の角部で調整することにより、ずれを調整するための外観上の不統一性や非連続性を目立たないものとし、統一性及び連続性がほとんど損なわれていない外観とすることができる。
【００３３】
本発明の請求項５記載の住宅１は、請求項３または４記載の住宅１において、例えば、図５等に示すように、建物の外壁２の外面における上下階のほぼ境界部分に帯状をなす調整幕板２０が水平に設けられ、該調整幕板２０の上側縁部から上の外壁２外面に上階用の外装仕上げ材８、１７が取り付けられ、該調整幕板２０の下側縁部から下の外壁２外面に下階用の外装仕上げ材８、１７が取り付けられ、
上記調整幕板２０の下側縁部から下階の外壁２外面に取り付けられた下階用の外装仕上げ材８、１７の下側縁部までの上下距離が所定の上下基準寸法の整数倍の長さとされ、かつ、上記調整幕板２０の上側縁部から上階の外壁２外面に取り付けられた上階用の外装仕上げ材８、１７の上側縁部までの上下距離が上記上下基準寸法の整数倍の長さとされるように、上記調整幕板２０の上下幅が設定されていることを特徴とする。
【００３４】
上記構成によれば、住宅１において、建物を構成する部材の上下長さを上記上下基準寸法の整数倍とする際に、例えば、上記部材が一階の土台の上端から、下階の床の下端まで配置されるものや、二階の床の上から屋根の外壁２部分に支持される部分まで配置されるものなどとした際に、上記部材の上下長さと、各階の壁の上下長さとが一致せず、外壁２面の上下長さは、上記部材の上下長さに土台の上下の厚みを加えたものや、上記部材の上下長さに二階の床部分等の上下の厚みを加えたものとなる。
【００３５】
そして、上記土台の厚みや、二階の床部分の厚み等が、必ずしも、上下基準寸法の整数倍となるものでない場合に、各階の外壁２面の上下長さは、上下基準寸法の整数倍の長さとならず、各階の外壁２面に設けられる外装仕上げ材８、１７の一階分の上下長さも上下基準寸法の整数倍とならない場合が生じ外装仕上げ材８、１７の上下長さの上下基準寸法に基づく規格化が困難になるとともに、請求項２記載の外装仕上げ材８、１７のように、一つの模様１３、１４、１５から次ぎの模様１３、１４、１５までの上下方向の距離を上下基準寸法の整数倍としても、一階分の外装仕上げ材８、１７の上端と下端とのうちの少なくとも一方と、繰り返される模様１３、１４、１５の境目等とを一致させることができなくなる。
【００３６】
そこで、調整幕板２０の下側縁部から下階の外壁２外面に取り付けられた下階用の外装仕上げ材８、１７の下側縁部までの上下距離が所定の上下基準寸法の整数倍の長さとなり、かつ、上記調整幕板２０の上側縁部から上階の外壁２外面に取り付けられた上階用の外装仕上げ材８、１７の上側縁部までの上下距離が上記上下基準寸法の整数倍の長さとなるように、調整幕板２０の上下幅を調整すれば、一階分の外装仕上げ材８、１７の上下距離を上下基準寸法の整数倍とすることができる。
【００３７】
これにより、外装仕上げ材８、１７の上下長さの上下基準寸法に基づく規格化が容易になるとともに、使用される外装仕上げ材８、１７が請求項２記載の構成を備えていれば、外装仕上げ材８、１７の模様１３、１４、１５の統一性や連続性を容易に実現することができる。
なお、幕板とは、ここでは、住宅の外周面の例えば、一階（下階）と二階（上階）との境目付近に住宅を一周するように設けられる帯状の部材である。なお、幕板の位置と、実際の一階と二階との境目とが一致している必要はなく、多少ずれていても良い。
【００３８】
【発明の実施の形態】
以下に、本発明の実施の形態の一例の外装仕上げ材及び住宅を図面を参照して説明する。
図１はこの一例の住宅の設計方法を説明する図面であり、図２及び図３はこの一例の外装仕上げ材を示すものであり、図４は角部外装仕上げ材を示すものであり、図５は外装仕上げ材と調整幕板との関係を示すものであり、図６及び図７は外装仕上げ材の模様と外壁に取り付けられる部材との関係を示すものである。
【００３９】
図１に示すように、この一例の住宅１においては、その外壁２（２ａ、２ｂ、２ｃ、２ｄ）及び内壁３（３ａ、３ｂ）が、グリッド６（方眼）を形成する縦横の仮想線４…、５…に沿った状態で配置されている。
すなわち、各外壁２…及び各内壁３、３は、仮想線４…、５…上に配置されるとともに、各外壁２…及び各内壁３、３同士の接合部（角部を含む）は、縦横の仮想線４…、５…の交点上に配置されるようになっている。
また、ここでは、各外壁２…及び各内壁３、３の中心線と縦横の仮想線４…、５…がほぼ一致するように各外壁２…及び各内壁３、３が配置されている。
【００４０】
また、グリッド６においては、隣り合う仮想線４…、５…同士（交点同士）の間隔が上述の１Ｍ（１モジュール）とされ、該１Ｍが住宅１を設計する際の基準寸法となっている。
すなわち、住宅１はモジュール設計により設計されたものである。
なお、この一例においては、１Ｍは、例えば９１０ｍｍ（ほぼ半間（３尺））とされているが、１Ｍは、上記値に限定されるものでは、１ｍ前後の値ならば良い。
また、実際の住宅１の設計においては、１Ｍを最低の基準寸法として設計することが困難なので、１／２Ｍ毎のハーフグリッドを配置するとともに、さらに細部の設計には、１／４Ｍを用いており、実際の最小の基準寸法となる長さは、１／２Ｍもしくは１／４Ｍとなっている。
【００４１】
そして、住宅１を構成する部材も、その左右幅等の水平方向のサイズが、例えば、最小基準寸法である１／４Ｍの整数倍となるように設計されている。なお、場合によっては、最小の基準寸法を１／８Ｍとしても良い。すなわち、ここでは、基本となる基準寸法を１Ｍとしているが、実際の最小基準寸法は、基本基準寸法を整数で割った長さとされており、各壁２、３の配置に用いるグリッド６の間隔や住宅１を構成する部材の左右幅等は、１Ｍを基準寸法とするものとした場合に、基準寸法を整数で割った長さの整数倍となり、最初基準寸法を基準寸法とした場合には、基準寸法の整数倍となる。
【００４２】
また、住宅を構成する部材、例えば、壁２、３においては、その中心線を仮想線４…、５…に重なるようにグリッド６上に配置する際の交点上の角部の接合部において、勝ち負けが生じることがあり、このような場合には、壁の厚みを考慮して部材の左右幅を最小基準寸法の整数倍の長さからずらすことがある。
そして、住宅１で用いられる部材の上下長さは、上下長さの最小単位となる１立面モジュール（以下、１立面Ｍと略す）の整数倍となるようにされている。また、壁に設けられる部材に設けられる窓や出入口等の上辺や下辺の高さも部材の下端からの距離が上記１立面Ｍの整数倍となるようにされている。
なお、１立面Ｍの上下長さは、例えば、１５１ｍｍ（ほぼ１／２尺）とされているが、これに限定されるものではなく、任意の長さを１立面Ｍとすることができる。
【００４３】
そして、図２に示すこの一例の外装仕上げ材８（上部だけを図示）は、縦型矩形状のものであり、水平方向に複数並べて配置することにより、ほぼ住宅の一つの階分の外装仕上げを行えるようになったものである。
なお、図２には、縦の破線１０、１０と、縦の二点鎖線１１…と、横の破線１２…とを図示したが、縦の破線１０、１０同士の左右の間隔が１Ｍとされ、縦の二点鎖線１１…は、縦の破線１０、１０同士の間を四等分するように配置されており、縦の破線１０、１０と縦の二点鎖線１１…とからなる縦の線は、１／４Ｍ毎に配置されている。
また、横の破線１２…同士の上下の間隔は、１立面Ｍとされている。すなわち、横の破線１２…は、１立面Ｍ毎に配置されている。
【００４４】
そして、この外装仕上げ材８は、そのサイズとして、左右幅が１Ｍの整数倍（ここでは、１Ｍ）とされ、上下幅が１立面Ｍの整数倍とされている。
また、外装仕上げ材８においては、タイル貼り状、レンガ積み状等と言うことが可能な模様が形成されている。
すなわち、外装仕上げ材８の表面には矩形模様１３…が、左右方向にほぼ等間隔で繰り返し形成されるとともに、同じ矩形模様１３…が、上下方向にほぼ等間隔で繰り返し形成されている。
【００４５】
なお、矩形模様１３…は、レンガ積み状に配置されることにより、一つの横の列の矩形模様１３…の配置パターンと、その上及び下の列の矩形模様１３…の配置パターンとが、矩形模様１３…が左右方向に繰り返される周期（長さ）の半分だけずれた状態とされて、矩形模様１３…が千鳥状に配置されている。
そして、左右の矩形模様１３…同士の間が縦目地模様１４…とされ、上下の矩形模様１３…同士の間が横目地模様１５…とされている。なお、これらの模様は、外装仕上げ材８の表面の凹凸により形成されるものであるが、色の違いにより模様を形成しても良い。
【００４６】
そして、図２示すように、各模様１３…、１４…、１５…と、上記縦の破線１０、１０及び二点鎖線１１…との関係から明らかなように、矩形模様１３…が、左右に繰り返される周期と、各縦の線１０、１０、１１…との間隔が一致するようになっている。すなわち、矩形模様１３…の右端から次ぎの矩形模様１３…の右端までの距離（もしくは左端から左端までの距離）が１／４Ｍとされおり、基準寸法を１Ｍとした場合には、一つの矩形模様１３から該矩形模様１３と同じ形状の次ぎの矩形模様１３までの左右方向の距離が上記基準寸法を整数で割った長さとされている。なお、基準寸法を１／４Ｍとすれば、上記距離は基準寸法（整数を１とすれば、基準寸法の整数倍）とされ、基準寸法を１／８Ｍとすれば、上記距離は基準寸法の二倍、すなわち、整数倍とされることになる。
【００４７】
なお、上記模様を縦目字模様１４…とした場合も、一つの縦目地模様１４から次ぎの縦目地模様１４までの距離が、基準寸法の整数分の一もしくは整数倍となる。また、一本の縦目地模様１４とこれに隣接する矩形模様１３とを合わせた模様が互いに隣接した状態で基準寸法の整数分の一もしくは整数倍の長さ毎に繰り返し出現するものと見なすことができるとともに、矩形模様１３…もしくは縦目地模様１４…が、互いに間隔をあけ、該間隔に他の模様（縦目地模様１４もしくは矩形模様１３）を配置した状態で基準寸法の整数分の一もしくは整数倍の長さ毎に繰り返すものと見なすことができる。
【００４８】
また、図２示すように、各模様１３…、１４…、１５…と、上記横の破線１２との関係から明らかなように、矩形模様１３…、矩形模様１３…とこれに隣接する縦目地模様１４…とを合わせた模様もしくは横目地模様１５…が、上下に繰り返される周期と、横の破線１２同士との間隔が一致するようになっている。すなわち、矩形模様１３…及び縦目地模様１４の上端から次ぎの矩形模様１３…及び縦目地模様の上端までの距離（もしくは下端から下端までの距離）と、横目地模様１５…同士の間隔とが１／３立面Ｍとされおり、基準寸法を１立面Ｍとした場合には、一つの模様１３、１４、１５から該模様１３、１４、１５と同じ形状の次ぎの模様１３、１４、１５までの上下方向の距離が上記基準寸法を整数で割った長さとされている。
【００４９】
なお、上述のように矩形模様１３…が千鳥状に配置されているので、上下高さが１立面Ｍの一つの範囲内の矩形模様１３…の配置パターンと、その上及び下の上下高さが１立面Ｍの範囲内の矩形模様１３…の配置パターンとが異なることになるので、上記外装仕上げ材８において、任意の範囲内の矩形模様１３…の配置パターンを一つの模様とした場合には、同じ矩形模様１３…の配置パターンからなる模様が、２立面モジュール毎に上下に繰り返した状態となる。
すなわち、矩形模様１３…の配置パターンからなる模様から該模様と同じ次ぎの模様までの上下方向の距離が基準寸法の二倍（整数倍）とされていることになる。
【００５０】
図３に示す外装仕上げ材１７（右部だけを図示）は、上記外装仕上げ材８とともにこの発明の外装仕上げ材の一つである。そして、外装仕上げ材１７は、横型矩形状のものであり、上下方向に並べて配置することにより、住宅の外装仕上げを行えるようになったものである。
なお、図３には、図２と同様に、縦の破線１０、１０と、縦の二点鎖線１１…と、横の破線１２…とを図示した。
【００５１】
そして、この外装仕上げ材１７は、そのサイズとして、左右幅が１Ｍの整数倍とされ、上下幅が１立面Ｍの整数倍（４倍）とされている。
また、外装仕上げ材１７には、上記外装仕上げ材８と同様に矩形模様１３…、縦目地模様１４…、横目地模様１５…が配置されている。
そして、外装仕上げ材１７と外装仕上げ材８とは、その形状が異なるが、矩形模様１３…、縦目地模様１４…及び横目地模様１５…の配置パターンは、同じものとなっており、各矩形模様１３…、各縦目地模様１４…、各横目地模様１５…の上下方向及び左右方向の繰り返しの周期（長さ）が、基準寸法の整数倍もしくは整数分の一とされている。
【００５２】
上記外装仕上げ材８、１７は、住宅１の外壁面に取り付けられることになるが、基本的に外装仕上げ材８、１７の左右幅は、１Ｍの整数倍とされているので、上記１Ｍ間隔のグリッドに対応させて外装仕上げ材８、１７を配置することができる。すなわち、外装仕上げ材８、１７の左右側縁を、外装仕上げ材８、１７に直交するグリッド６の仮想線４…、５…と一致させた状態に配置することができる。
なお、外装仕上げ材８、１７は、この一例では、その模様が左右に１／４Ｍ毎に繰り返すようになっているので、外装仕上げ材８、１７の左右幅を１／４Ｍの整数倍としたり、外装仕上げ材８、１７をその左端もしくは右端から１／４Ｍの整数倍の長さの位置で切断して使用するものとしても良い。
【００５３】
そして、厚みのある外壁２の外面ではなく、外壁２の外面より内側の部分、例えば、外壁２の中心線をグリッド６の仮想線４…、５…に沿わせて配置した場合に、外壁２の出隅の角部の頂点は、図４に示すように、縦の仮想線４と横の仮想線５との交点と一致せずに、縦の仮想線４と横の仮想線５とで囲まれる部分より外側に配置されることになる。
従って、上述のように外装仕上げ材８、１７をグリッド６に対応して配置すると、外装仕上げ材８、１７は、角部の頂点の手前の仮想線４、５の位置までしか配置されず、外壁２の角部に外装仕上げ材８、１７を配置できない状態となるが、この一例では、外壁２の角部に角部外装仕上げ材１８を配置するようになっている。
【００５４】
上記角部外装仕上げ材１８は、二枚の外装仕上げ材となる板体１８ａ、１８ａを直角に一体に接合した状態の形状を有するものであるとともに、これら板体１８ａ、１８ａの左右幅が、それぞれ上記外壁２が沿って配置された上記仮想線４、５と、上記外壁２外面に取り付けられた外装仕上げ材（板体１８ａ、１８ａ）との間の距離αにほぼ等しくされている。これにより、角部外装仕上げ材１８の左右の側縁と、仮想線４、５とが一致するものとなっており、上述のように外壁面に配置された外装仕上げ材８、１７と連続するように角部外装仕上げ材１８を配置することができる。
【００５５】
なお、住宅１を構成する部材の上下幅を基本的に１立面Ｍの整数倍の長さとするものとしたが、住宅１には、床等の上下に厚みのある部材が配置されており、この厚みは、必ずしも１立面Ｍの整数倍とはなっていないので、住宅１の外壁２の、例えば、上端から下端までの上下距離は、１立面Ｍの整数倍とならない可能性がある。
そこで、上記住宅１の外周面においては、一階と二階との間の境界部分もしくはその近傍に住宅１の外周に沿って調整領域が形成され、この部分に調整幕板２０が配置されている。なお、調整幕板２０は、その上下幅が以下のようにされている以外は、基本的に、一般的な住宅の外周の一階と二階との境界部分に配置される周知の幕板と同様のものである。
【００５６】
そして、上記調整幕板２０の幅は、該調整幕板２０の下側縁部から一階の外壁２外面に取り付けられた外装仕上げ材８…の下側縁部までの上下距離を上下基準寸法すなわち１立面Ｍの整数倍の長さとし、かつ、調整幕板２０の上側縁部から二階の外壁２外面に取り付けられた外装仕上げ材８の上側縁部までの上下距離を１立面Ｍの整数倍の長さとするように調整されている。
これにより、一階部分及び二階部分に配置される外装仕上げ材８の上下距離を１立面Ｍの整数倍の長さとすることができる。
【００５７】
また、この際に、外壁２の外面に取り付けられるシャッタボックス２１や庇２２等の部材の取り付け位置を、該部材の上下端の位置が外装仕上げ材８の上端や下端もしくは調整幕板２０の上端もしくは下端からの距離が１立面Ｍの整数倍となるようにすれば、図６及び図７に示すように、外装仕上げ材８の表面の模様の境目と、上記部材の上下端の位置が一致することになり、統一性の取れた美観を有する外観となる。
【００５８】
なお、図５に示される外装仕上げ材８の表面の多数の横線は、１立面Ｍ毎に引かれた線であり、後述する外装仕上げ材８の横目地模様２３の一部だけを図示したものである。
図６及び図７においては、外装仕上げ材８の模様が、上述の矩形模様１３を有するものではなく、１立面Ｍを上下に５等分するように配置された横目地模様２３…が上下方向に繰り返されるものとなっている。従って、横目地模様２３の上下方向の繰り返し周期は、１立面Ｍの１／５となる。なお、図６及び図７においては、横方向に繰り返される模様を図示省略した。
また、上述のようにシャッタボックス２１や庇２２等の外壁２の外面に取り付けられる部材の位置を設定した場合には、各部材の上端と下端との距離が１立面Ｍの整数倍となる。なお、各部材の上端と下端とは、基本的に、各部材の外壁に取り付けられて外装仕上げ材の模様を隠す部分の上端及び下端であり、外壁から離れた位置に上記部材の上端や下端がある場合には、部材の実際の上端や下端とは異なるものとなる。
【００５９】
以上のような住宅１における外装仕上げ材８、１７によれば、上述のようにその表面に形成された模様が、左右方向に基準寸法（１／４Ｍ）毎に繰り返すように形成されているとともに、例えば、その左右幅が１Ｍもしくは１Ｍの整数倍とされているので、モジュール設計された住宅１の外壁２の外面に、上記グリッド６に対応して外装仕上げ材８、１７を配置すれば、外装仕上げ材８、１７の模様もグリッド６に対応したものとなり、外装仕上げ材８、１７を横に並べて外壁２の外面に取り付けた場合に、外壁２の外面全体に設けられることになる模様の統一性や連続性を容易に確保することができる。
【００６０】
また、外装仕上げ材８、１７を左右に分けるように垂直に切断して使用するものとした場合に、１／４Ｍ単位で切断するもの、すなわち、外装仕上げ材の左右側縁から１／４Ｍの整数倍の長さで切断するものとすれば、左右に繰り返し配置された模様の境目、すなわち、左右に繰り替えさえる模様の左端や右端が切断位置となり、切断される前の外装仕上げ材８、１７の左右側縁部の模様と、切断された後の外装仕上げ材８、１７の左右側縁部の模様とが同じものとなる。
【００６１】
従って、切断された外装仕上げ材８、１７と、切断された外装仕上げ材８、１７もしくは切断されていない外装仕上げ材８、１７とを左右に接合した場合に、接合部の模様の状態が、切断されていない外装仕上げ材８、１７同士を接合したのと同様の状態となり、かつ、接合部において、一方の切断された外装仕上げ材８、１７から、この外装仕上げ材８、１７に接合された外装仕上げ材８、１７にかけての模様は、同じ周期で同じ模様が繰り返された状態となり、接合部で、一つの模様の一部が途中で切断されて、不完全な模様があったり、模様の繰り返し周期が接合部のところだけ他の部分と異なったりすることがなく、模様の連続性と統一性を確保した状態で切断された外装仕上げ材８、１７を他の外装仕上げ材８、１７と接合することができる。
【００６２】
また、上述のように外装仕上げ材８、１７を住宅１、例えば、細部の構造等に合わせて切断して使用するものとすれば、予め、住宅１の細部の構造に合わせて多種の外装仕上げ材を製造するのに比較して製造コストの低減を図ることができる。
また、外装仕上げ材を予め住宅の細部の構造にも対応できるようにサイズの小さなものとし、サイズの小さな外装仕上げ材を組み合わせることで様々な形状の外装仕上げを行うものとした場合に比較して、外壁への取り付け作業を容易なものとすることができる。
【００６３】
また、現場作業を簡略化するために、予め、工場において、パネルやパネル同士を接合した大型連結パネルに、外装仕上げ材８、１７を取り付けてしまうものとした場合に、上述のように外装仕上げ材８、１７のサイズが基準寸法に基づくものとされるとともに、表面の模様が基準寸法に基づいているので、基準寸法に基づくサイズを有するパネルに基準寸法に基づくサイズを有する外装仕上げ材を基準寸法に基づいて取り付けるだけで、外装仕上げ材８、１７の模様が基準寸法に基づいたパターンとなるので、特に模様合わせ等を考慮しながらパネルに外装仕上げ材８、１７を取り付けなくとも、最終的に住宅１の外周面に複数の外装仕上げ材８、１７から形成される模様が統一性と連続性とを有するものとなり、手間をかけることなく、住宅の外装の美観を向上することができる。
【００６４】
また、上述のように、モジュール設計された住宅１の外壁２の外面は、外壁２の厚みによりその左右幅が基準寸法の整数倍からずれることになるが、上記角部外装仕上げ材１８を用いることにより、基準寸法にサイズ及び模様が合わされた外装仕上げ材８、１７を基準寸法に対してずれた左右幅を有する外壁の外面に取り付ける際に、そのずれを上記構成を有する角部外装仕上げ材１８により調整することができる。従って、基準寸法からずれた外装仕上げ材８、１８を用いる必要がなく、外装仕上げ材８、１７を基準寸法からずらすように加工したり製造したりする手間をなくすことができる。
【００６５】
また、角部外装仕上げ材１８の表面に、該角部外装仕上げ材１８に接合される外装仕上げ材８、１７と同様の模様を形成しておけば、角部外装仕上げ材１８により模様の連続性や統一性が著しく阻害されるのを防止することができる。
なお、角部外装仕上げ材１８の二つの直角な外面を構成する板体１８ａは、その左右幅が狭く、必ずしも、他の外装仕上げ材８、１７と同様に最小基準寸法単位で繰り返す模様を形成することができないので、角部外装仕上げ材１８の側縁部に、他の外装仕上げ材８，１７の側縁部とほぼ一致する模様を形成するものとすることが好ましく、また、連続して繰り返す模様が、角部外装仕上げ材１８の部分で収束もしくは終焉するような模様となっていることが好ましい。
【００６６】
また、外装仕上げ材８、１７においては、同様の模様が上下に基準寸法（１立面Ｍ）の整数分の一の長さもしくは基準寸法の整数倍の長さ毎に繰り返し形成されているので、横の模様を基準寸法の整数分の一の長さもしくは基準寸法の整数倍の長さ毎に繰り返し形成した際の上述の効果とほぼ同様の効果を奏することができる。
なお、平面における基準寸法であるモジュールが、壁の配置等のモジュール設計と、部材のサイズとしての左右幅に対応していたのに対して、立面モジュールは、必ずしも住宅１の高さや、外壁の高さにほぼ完全に対応するものではなく、どちらかといえば、住宅の部材のサイズとしての上下高さの規格化に重きをおいたものであり、外装仕上げ材８、１７のサイズ及び模様の繰り返し周期を立面モジュールに対応させても、必ずしも、実際の住宅１の外壁２の上下幅に対応するものではないが、上記調整幕板２０を住宅１に設けることにより、調整幕板２０の上下の一階分の外壁２の上下幅を立面モジュールに対応させることができ、上述の左右方向の模様の繰り返しをモジュールに対応させた場合と同様の効果を奏することができる。
【００６７】
また、上述のように調整幕板２０を用いて住宅の一階の上下幅を立面モジュールに対応させた際に、外壁の外面に取り付けられるシャッタボックス２１や庇２２等の部材の上下端の位置を調整幕板２０の上下端もしくは外装仕上げ材の取り付け位置の上下端を基準として、該基準から基準寸法の整数倍の距離とすれば、上記部材の取り付け位置と、外装仕上げ材の模様とが対応し、上記部材により上下に繰り返す模様のうちの一つの模様の一部がなくなったりせず、住宅の美観を向上することができる。
【００６８】
なお、外装仕上げ材８、１７に形成される模様は、上述のようなタイル貼り状やレンガ積み状の模様に限定されるものではなく、少なくとも左右方向にモジュール設計時の基準寸法に対応する長さ（すなわち、基準寸法の整数分の一もしくは基準寸法の整数倍の長さ）毎に、繰り返される模様ならば良く、各種多角形等の直線から形成される模様や、円や楕円等の曲線から形成される模倣や、曲線と直線とが混ざった模様や、いわゆる幾何学模様や、その他、花柄や動物柄や各種のキャラクタといた模様でも良い。
また、これらの模様は、上述のように上下方向にも基準寸法に対応する長さ毎に繰り返されるように形成されていることが好ましい。
【００６９】
【発明の効果】
本発明の請求項１記載の外装仕上げ材によれば、外壁に取り付けられる外装仕上げ材の模様が、同じ形状の模様が左右方向に沿って繰り返し出現する模様となっているとともに、同じ形状の模様が繰り返し出現する周期が、上記基準寸法を整数で割った長さもしくは上記基準寸法の整数倍となっているので、モジュール設計された外壁のモジュールと外壁仕上げ材の模様とを対応させることが可能となり、モジュール設計される住宅の外壁において、その外面の模様が複数枚の外装仕上げ材からなるものとしても、模様の統一性及び連続性を容易に確保することができる。
【００７０】
そして、予め決められたサイズで入荷された外装仕上げ材を左右に分けるように垂直に切断して使用する場合に、上記基準寸法に基づいて切断するものとすれば、切断位置と、一つの模様と次ぎの模様との境目等とを対応させることが可能となり、この場合においても、模様の統一性及び連続性を容易に確保することができる。
また、外装仕上げ材を切断して使用するものとしても、模様の統一性及び連続性を容易に確保できることから、外装仕上げ材を切断して外壁の細部の構造に対応するものとしても、模様の統一性と連続性とを確保することできる。
すなわち、予め細部の構造に対応した多種の外装仕上げ材を製造したり、小さな外装仕上げ材を多数使用することにより細部の構造に対応するものとしたりした場合に比較して、外装仕上げ材を切断して細部の構造に対応するものとすれば、外装仕上げ材のコストの低減や外装仕上げ材の取り付けの省力化を図ることができる。
【００７１】
本発明の請求項２記載の外装仕上げ材によれば、上述の請求項１記載の左右に繰り返す模様の場合とほぼ同様の効果を上下に繰り返す模様においても奏することができる。
【００７２】
本発明の請求項３記載の住宅によれば、外壁を設計する際の基準寸法と、該外壁外面に設けられる外装仕上げ材の模様の左右方向の繰り返し周期とが対応させられているので、住宅の外観を統一性の取れたものとすることができる。
また、上記住宅の構築時において、住宅の外壁の外面に外装仕上げ材を取り付ける際に、予め決められたサイズの外装仕上げ材を切断して使用するものとしても、請求項１または２記載の構成と同様に、切断位置と外装仕上げ材の左右や上下に繰り返させる模様の境目とを容易に対応させることができるので、外壁の外面の模様の連続性や統一性を容易に確保することができる。従って、住宅の外観における美観を向上することができる。
【００７３】
本発明の請求項４記載の住宅によれば、モジュール設計された住宅において、外壁の角部から角部までの距離が外壁の厚みにより基準寸法の整数倍からずれても、外壁の角部に上記角部外装仕上げ材を配置するものとすれば、各外装仕上げ材の幅を上記基準寸法の整数倍からずらすようなことをする必要がなく、外装仕上げ材の取り付けに係わる作業を容易なものとすることができる。
また、外壁の角部から次ぎの角部までの外面一面分の左右幅と上記基準寸法の整数倍とされた左右幅を有する各外装仕上げ材からなる外面一面分の外装仕上げ材の左右幅とのずれを角部で調整することにより、ずれを調整するための外観上の不統一性や非連続性を目立たないものとし、統一性及び連続性がほとんど損なわれていない外観とすることができる。
【００７４】
本発明の請求項５記載の住宅によれば、調整幕板の下側縁部から下階の外壁外面に取り付けられた下階用の外装仕上げ材の下側縁部までの上下距離が所定の上下基準寸法の整数倍の長さとなり、かつ、上記調整幕板の上側縁部から上階の外壁外面に取り付けられた上階用の外装仕上げ材の上側縁部までの上下距離が上記上下基準寸法の整数倍の長さとなるように、調整幕板の上下幅を調整すれば、一階分の外装仕上げ材の上下距離を上下基準寸法の整数倍とすることができる。
これにより、外装仕上げ材の上下長さの上下基準寸法に基づく規格化が容易になるとともに、使用される外装仕上げ材が請求項２記載の構成を備えていれば、外装仕上げ材の模様の統一性や連続性を容易に実現することができる。
【図面の簡単な説明】
【図１】本発明の実施の形態の一例の住宅のモジュール設計を説明するための図面である。
【図２】上記例の外装仕上げ材を示す正面図である。
【図３】上記例の外装仕上げ材を示す正面図である。
【図４】上記例の角部外装仕上げ材を示す平面図である。
【図５】上記例の住宅を示す側面図である。
【図６】上記例の住宅を示す要部側面図である。
【図７】上記例の住宅を示す要部側面図である。
【符号の説明】
１      住宅
２      外壁
４      縦の仮想線
５      横の仮想線
６      グリッド（方眼）
８      外装仕上げ材
１３    矩形模様
１４    縦目地模様
１５    横目地模様
１７    外装仕上げ材
１８    角部外装仕上げ材
１８ａ  角部外装仕上げ材の板体
２０    調整幕板
２３    横目地模様
【図１】
0004112710.tif 000002
【図２】
0004112710.tif 000003
【図３】
0004112710.tif 000004
【図４】
0004112710.tif 000005
【図５】
0004112710.tif 000006
【図６】
0004112710.tif 000007
【図７】
0004112710.tif 000008